(57)【要約】【課題】携帯端末に備えられた特定の機能部に対して、端末本体に接触することなく簡易な手段により、特定の操作を行うことを可能とするものである。【解決手段】充電用アダプタ２０による内蔵の二次電池への充電のＯＮ／ＯＦＦを検出し、充電のＯＮ／ＯＦＦの状態の変化を契機として特定の機能部の動作を制御する。例えば、充電のＯＮ／ＯＦＦは、ユーザが充電用アダプタ２２のプラグ２３を電源コンセント３０に挿抜する操作により行える。この制御は、携帯端末が備えるプロジェクタの機能において、資料のページ送りに利用して好適である。【選択図】図１
2010124201.tif 000002
【特許請求の範囲】
【請求項１】
二次電池と、
所定の機能を実行する機能部と、
充電用アダプタによる前記二次電池への充電のＯＮ／ＯＦＦを検出する検出部と、
充電のＯＮ／ＯＦＦの状態の変化を契機として前記機能部の動作を制御する制御手段と
を備えた携帯端末。
【請求項２】
前記機能部の機能はプロジェクタ機能であり、前記機能部の動作はページの更新である請求項１に記載の携帯端末。
【請求項３】
前記ＯＮ／ＯＦＦの状態の変化として、前記二次電池への充電のＯＦＦからＯＮに変わるタイミングと、ＯＮからＯＦＦに変わるタイミングの少なくとも一方を前記機能部に対する操作指示として利用する請求項１または２に記載の携帯端末。
【請求項４】
充電用アダプタによる前記二次電池への充電のＯＮ／ＯＦＦを検出するステップと、
充電のＯＮ／ＯＦＦの状態の変化を契機として所定の機能部の動作を制御するステップと
を携帯端末のコンピュータに実行させるコンピュータプログラム。
【請求項５】
前記機能部の機能はプロジェクタ機能であり、前記機能部の動作はページの更新である請求項４に記載のコンピュータプログラム。
【請求項６】
前記ＯＮ／ＯＦＦの状態の変化として、前記二次電池への充電のＯＦＦからＯＮに変わるタイミングと、ＯＮからＯＦＦに変わるタイミングの少なくとも一方を前記機能部に対する操作指示として利用する請求項４または５に記載のコンピュータプログラム。
【発明の詳細な説明】
【技術分野】
【０００１】
本発明は、二次電池を有する携帯端末およびその操作に関する。
【背景技術】
【０００２】
ビジネスや教育等の分野では、プレゼンテーションの際にパーソナルコンピュータ（ＰＣ）とプロジェクタが使用されることが多い。
【０００３】
プロジェクタは可搬性ではあるが、比較的サイズおよび重量が大きく、携帯性には欠ける。また、ＰＣも小型のものが普及してはいるが、プロジェクタとともに持ち歩くのは不便である。したがって、プロジェクタ機能の利用上、両者の組み合わせは携帯性の観点からは実用的ではない。
【０００４】
このような問題に対して、携帯性および利便性の向上、およびコスト低減の観点から、近年、広く普及している携帯電話機にプロジェクタ機能を搭載することが提案されている（特許文献１、２参照）。
【特許文献１】特開２００２−２７０６０号公報
【特許文献２】特開２０００−３２２０９３号公報
【発明の開示】
【発明が解決しようとする課題】
【０００５】
ところで、プロジェクタによりプレゼンテーションを行う際、通常、資料のページ送り操作を行う必要がある。携帯電話機のような携帯端末において、このページ送り操作は、携帯端末本体に備えられた操作部のボタン等により行える。
【０００６】
しかし、携帯端末は、小型、軽量であるため、ユーザによる手動の操作時に本体が容易に移動してしまうという問題がある。本体が移動すると、その少しの移動や傾きでも、壁等のスクリーンに照射されている映像は大きく移動することになる。これでは、映像が予定したスクリーンからはみ出すおそれがあるのみならず、見ている者にとって見づらい結果となる。
【０００７】
Bluetooth（登録商標）のような近距離無線通信機能を内蔵した携帯端末であれば、同機能対応マウスを接続し、そのクリック操作によるページ送り動作が可能である。しかし、同機能はすべての携帯端末が備えている訳ではないので、必ずしもその使用が保証されない。また、同機能対応マウスなどの別装置の追加によるコスト増が発生するだけでなく、その携帯の煩雑さも伴う。
【０００８】
本発明はこのような背景においてなされたものであり、携帯端末に備えられた特定の機能部に対して、ユーザが端末本体に接触することなく簡易な手段により、特定の操作を行うことを可能とするものである。
【課題を解決するための手段】
【０００９】
本発明による携帯端末は、二次電池と、所定の機能を実行する機能部と、充電用アダプタによる前記二次電池への充電のＯＮ／ＯＦＦを検出する検出部と、充電のＯＮ／ＯＦＦの状態の変化を契機として前記機能部の動作を制御する制御手段とを備えたものである。
【００１０】
通常、充電用アダプタによる二次電池への充電のＯＮ／ＯＦＦは、ユーザが携帯端末本体に直接、接触することなく、充電用アダプタに対して行うことができる。したがって、充電のＯＮ／ＯＦＦの状態の変化を利用することにより、携帯端末を手動操作することなく特定の機能部の動作の制御が可能となる。これにより、当該機能部の特定の操作が行える。
【００１１】
前記ＯＮ／ＯＦＦの状態の変化として、前記二次電池への充電のＯＦＦからＯＮに変わるタイミングと、ＯＮからＯＦＦに変わるタイミングの少なくとも一方を前記機能部に対する操作指示として利用することができる。
【００１２】
本発明によるコンピュータプログラムは、充電用アダプタによる前記二次電池への充電のＯＮ／ＯＦＦを検出するステップと、充電のＯＮ／ＯＦＦの状態の変化を契機として所定の機能部の動作を制御するステップとを携帯端末のコンピュータに実行させるコンピュータプログラムである。
【発明の効果】
【００１３】
本発明によれば、携帯端末に備えられた特定の機能部に対して、端末本体に接触することなく簡易な手段により、特定の操作を行うことを可能となる。例えば、特定の機能部としてプレゼンテーションを行うプロジェクタ機能部を備えた携帯端末に応用することにより、コスト増を招来することなく、ページ送り等の機能を適切に実現することができる。
【発明を実施するための最良の形態】
【００１４】
以下、本発明の好適な実施の形態について図面を参照しながら詳細に説明する。
【００１５】
図１は、本発明の概念を説明するための図である。
【００１６】
本実施の形態における携帯電話機のような携帯端末１０にはプロジェクタ機能が備えられている。携帯端末１０を所定の位置に載置し、操作部の操作によりプロジェクタ機能を起動して目的の資料（例えば文書）を読み出し、プロジェクタのレンズ部１１から映像を所定のスクリーン４０に投影する。
【００１７】
携帯端末１０には、通常、その内蔵の二次電池（充電可能な電池）に対して充電を行うために充電用アダプタであるＡＣアダプタ２０が付属している。ＡＣアダプタ２０は、一般に、本体側のコネクタ２１と、電源側のプラグ２３と、両者を接続するケーブル２２とにより構成されている。
【００１８】
本実施の形態では、プロジェクタによる投影を開始した後、ＡＣアダプタ２０により充電状態すなわちＡＣアダプタ２０の接断（接続および遮断）を変化させ、それを契機として、プロジェクタの操作、ここでは資料のページの更新（例えばページ送り）を行う。
【００１９】
図１の例では、ユーザがＡＣアダプタ２０を電源コンセント３０に挿抜することによりプロジェクタの所定の操作（ここではページの更新）が行われる。図１（ａ）に示すようにＡＣアダプタ２０を電源コンセント３０にプラグ２３を差し込んだ状態から、図１（ｂ）に示すようにプラグ２３を抜く。このときのスクリーン４０上に投影された映像のページは変わらない。プラグ２３を抜き去った状態でも携帯端末１０の動作電力は内蔵のバッテリ（図示せず）により供給される。さらにプラグ２３を再度電源コンセント３０に差し込んだとき、ページの更新が行われ、図１（ｃ）に示すようにスクリーン４０上の映像が切り替わる。このように、図１の例ではプラグ２３をソケット３１に差し込んだ動作を契機にページの更新が行われる。
【００２０】
図２は、電源コンセント３０に対するプラグ２３の挿抜のどのタイミングを操作指示として用いるかの変形例を示している。図２（ａ）は、図１に示した例に対応し、プラグ２３を挿入したタイミング、すなわち、充電状態がＯＦＦからＯＮに変わるタイミングを操作指示として用いる場合を示している。図２（ｂ）は、プラグ２３を電源コンセント３０から抜き出したタイミング、すなわち、充電状態がＯＮからＯＦＦに変わるタイミングを操作指示として用いる場合を示している。図２（ｃ）は、プラグ２３を電源コンセント３０に挿入するタイミングおよび抜き出したタイミングの両方、すなわち、充電状態がＯＦＦからＯＮに変わるタイミングとＯＮからＯＦＦに変わるタイミングの両方を操作指示として用いる場合を示している。本発明でプロジェクタの操作に利用するコネクタの挿抜のタイミング（図の波形の矢印を付したエッジＰ）としては、図２（ａ）（ｂ）（ｃ）のいずれであってもよい。
【００２１】
電源コンセント３０に対するプラグ２３の挿抜は、実際の挿抜動作を行わなくとも電気的に同等の操作が実質的に行われれば足りる。図３はその一例を示している。この例では電源の各ソケット３１に接続されたプラグへの電源の供給をＯＮ／ＯＦＦするスイッチ３２を備えた電源コンセント３０ａを示している。スイッチ３２としてはいわゆるシーソースイッチを示しているが、スイッチの型はこれに限るものではない。その他、図示しないが、バネ力に抗して押している間だけ接続を遮断するような既存の押しボタンスイッチを用いてもよい。また、複数のソケット３１に対して単一のスイッチが共用される形式の延長ケーブルを用いてもよい。
【００２２】
図４は、本実施の形態における携帯端末１０の概略の構成を示したブロック図である。
【００２３】
携帯端末１０は、端末全体の動作を司る制御部としてのＣＰＵ１００が、各種プログラムやデータを保存するメモリ１０２、テンキーや各種の操作キーを含む操作部１０４、プロジェクタ１０５等の各種機能部とバス１０３を介して接続されて構成される。メモリ１０２には、プロジェクタ１０５のアプリケーションプログラム（その操作プログラムも含む）、および、プロジェクタ１０５で投影される資料のデータも保存される。
【００２４】
外部のＡＣアダプタ２０のコネクタ２１が接続されるコネクタ１２２には、充電電流制御素子１２１および電池制御素子１２３を介して、内蔵の二次電池１２５が接続される。充電電流制御素子１２１および電池制御素子１２３は、それぞれ充電制御ＩＣ１１０の充電電流制御部１１３および電池制御部１１５により制御される。充電制御ＩＣ１１０は、コネクタ１２２に接続され、現在、充電アダプタ２０により電源コンセントに接続された状態にあるか否かを検出する充電検出部１１１を含む。充電検出部１１１は、ＡＣアダプタ２０により充電状態すなわちＡＣアダプタ２０の接断（接続および遮断）を検出する。充電検出部１１１の検出出力は、例えば割り込み信号としてＣＰＵ１００に入力される。二次電池１２５の出力電圧は電源ＩＣ１２０に印加され、ここから端末内の各部の電気回路や部品に必要な電力が供給される。
【００２５】
また、ＣＰＵ１００には、ＬＥＤ制御ＩＣ１０６が接続されている。ＬＥＤ制御ＩＣ１０６はＣＰＵ１００からの制御下で充電状態を表示する発光素子（ＬＥＤ）１０７を制御する。
【００２６】
その他、図示しないが、基地局との無線通信を行う通信部、バイブレータ、外部メモリ等、通常の携帯電話端末が内蔵する他の機能部を備えてもよい。
【００２７】
図５は、本実施の形態におけるプロジェクタ１０５のアプリケーションの処理例を表したフローチャートである。この処理は、ＣＰＵ１００がメモリ１０２内の所定のプログラムを読み出すことにより実現される。
【００２８】
まず、操作部１０４に対するユーザの所定の操作に応じて、プロジェクタ１０５の機能が起動される（Ｓ１１）。この際、再生対象の資料ファイルの選択および再生の指示も行われる。ついで、ページ送り用内部カウンタの値Ｐを初期値（ここでは０）にリセットする（Ｓ１２）。
【００２９】
その後、ＡＣアダプタ２０の接続状態を監視し、ＡＣアダプタの「接続なし」の状態から「接続あり」の状態に切り替わるのを待機する（Ｓ１３）。「接続なし」の状態から「接続あり」の状態に切り替わったら、ＡＣアダプタ接続解除イベント、すなわち、引き続きＡＣアダプタの接続状態を監視し、ＡＣアダプタの「接続あり」の状態から「接続なし」の状態に切り替わったか否かを判断する（Ｓ１４）。ＡＣアダプタ接続解除イベントが発生したら、その後のＡＣアダプタ再接続の有無を監視する（Ｓ１５）。再接続があったとき、資料のページ送りを実行する（Ｓ１６）。これに伴い、ページ送り用内部カウンタ値Ｐを更新（ここではインクリメント）する（Ｓ１７）。ユーザの所定の操作によりプロジェクタが終了するまで（Ｓ１８）、ステップＳ１４〜Ｓ１７を繰り返して実行する。ユーザによるプロジェクタの終了の指示は操作部１０４（図４）に対するユーザの操作により行える。この時点で再生中の投影映像は終了するので、ユーザが携帯端末１０に接触しても問題ない。プロジェクタの終了の指示に応じて、プロジェクタ１０５の機能を停止させ、再生中の資料ファイルを閉鎖する等の、所定のプロジェクタ終了処理が行われる（Ｓ１９）。
【００３０】
以上、本発明の好適な実施の形態について説明したが、上記で言及した以外にも種々の変形、変更を行うことが可能である。例えば、携帯電話機を例として説明したが、本発明に電話機能は必須ではない。
【００３１】
また、本発明の操作対象となる所定の機能はプロジェクタ機能を例として説明したが、本発明は、携帯端末の本体にユーザが直接的に接触することなく操作を行うことが好ましい任意の機能部に適用することが可能である。
【００３２】
上記実施の形態で説明した機能をコンピュータで実現するためのコンピュータプログラムおよびプログラムをコンピュータ読み取り可能に格納した記録媒体も本願発明に含まれる。プログラムを供給するための「記録媒体」としては、例えば、磁気記憶媒体（フレキシブルディスク、ハードディスク、磁気テープ等）、光ディスク（ＭＯやＰＤ等の光磁気ディスク、ＣＤ、ＤＶＤ等）、半導体ストレージ、紙テープなどを挙げることができる。
【図面の簡単な説明】
【００３３】
【図１】本発明の概念を説明するための図である。
【図２】本発明において、電源コンセントに対するプラグの挿抜のどのタイミングを操作指示として用いるかの変形例を示した図である。
【図３】本発明における、電源コンセントに対するプラグの挿抜の同等の操作を説明するための図である
【図４】本発明の実施の形態における携帯端末の概略の構成を示したブロック図である。
【図５】本発明の実施の形態におけるプロジェクタのアプリケーションの処理例を表したフローチャートである。
【符号の説明】
【００３４】
１０…携帯端末、１１…レンズ部、２０…充電アダプタ、２１…コネクタ、２２…ケーブル、２３…プラグ、３０，３０ａ…電源コンセント、３１…ソケット、３２…スイッチ、４０…スクリーン、１０２…メモリ、１０３…バス、１０４…操作部、１０５…プロジェクタ、１０６…ＬＥＤ制御ＩＣ、１０７…操作部、１１０…充電制御ＩＣ、１１１…充電検出部、１１３…充電電流制御部、１１５…電池制御部、１２０…電源ＩＣ、１２１…充電電流制御素子、１２２…コネクタ、１２３…電池制御素子、１２５…二次電池
【図１】
2010124201.tif 000003
【図２】
2010124201.tif 000004
【図３】
2010124201.tif 000005
【図４】
2010124201.tif 000006
【図５】
2010124201.tif 000007